(57)【要約】【課題】フレキシブルコンテナの下方に潜り込むことなく安全な位置で作業をすることができ、簡便な方法で籾等の穀粒の排出や排出口の折畳み等の作業が行えるフレキシブルコンテナを提供する。【解決手段】フレキシブルな材質からなる袋体の開口部に吊下げ手段を設けるとともに、この袋体の底部排出口に、折畳み可能な排出筒を接続し、この排出筒を折畳んだ状態で排出口を閉鎖する蓋部を備え、そしてこの袋体の底部外縁部に、前記蓋部に連結する蓋部開放手段の一端を備えることにより、コンテナの下方に潜り込むことなく、コンテナの横に立ったままで排出口を開くようにする。【選択図】図１
2005193979.tif 000002
【特許請求の範囲】
【請求項１】
フレキシブルな材質からなる袋体に吊下げ手段を設けるとともに、この袋体の底部排出口に、折畳み可能な排出筒を接続し、この排出筒を折畳んだ状態で排出口を閉鎖する蓋部を備え、
そしてこの袋体の底部外縁部に、前記蓋部に連結する蓋部開放手段の一端を備えてなるフレキシブルコンテナ。
【請求項２】
前記蓋部は、その一側辺の連結部を袋体の底部に止着した１枚のシート片により形成される外蓋からなり、
この外蓋の前記連結部とは反対側の側辺の遊離部を、面ファスナを介して袋体の底部外縁部の接着部に着脱自在に止着してなる請求項１記載のフレキシブルコンテナ。
【請求項３】
前記袋体を上面が開口した枡形に形成するとともに、前記吊下げ手段を左右２本の吊紐により形成し、
そのうち左側の吊紐の両端は袋体の上面開口部の左側隅角部にまた右側の吊紐の両端は前記開口部の右側隅角部にそれぞれ連結し、
しかして前記袋体の底部外縁部の接着部を左右２本の吊紐の中間にのぞませてなる請求項２記載のフレキシブルコンテナ。
【請求項４】
前記蓋部が外蓋と内蓋により内外二重に形成され、これら外蓋と内蓋に個別に前記蓋部開放手段を連結してなる請求項１記載のフレキシブルコンテナ。
【請求項５】
前記外蓋が２枚のシート片により形成され、各シート片の一側辺を前記袋体底部に止着して相対する他側辺同士は内外に重ね合わせ、この重ね合わせた部分を面ファスナにより接着して前記外蓋を閉鎖するようにし、
そして重ね合わせたシート片のうち外側のシート片に前記蓋部開放手段を連結してなる請求項４記載のフレキシブルコンテナ。
【請求項６】
前記内蓋が前記排出口に設けられたスリットにより区画されたシート片により形成され、それらシート片を１枚の連結片により面ファスナを介して接着して前記内蓋を閉鎖するようにし、
そして前記連結片の一端に前記蓋部開放手段を連結してなる請求項４記載のフレキシブルコンテナ。
【請求項７】
外蓋に設けた面ファスナに沿ってカバーシートの一側を取付け、面ファスナの表面をカバーシートで覆うことを特徴とする請求項２または請求項５記載のフレキシブルコンテナ。
【請求項８】
前記蓋部開放手段は紐で構成され、その一端を前記袋体の底部外縁部に設けた係止具に係止してなる請求項１記載のフレキシブルコンテナ。
【請求項９】
フレキシブルな材質からなる袋体に吊下げ手段を設けるとともに、この袋体の底部排出口に、折畳み可能な排出筒を接続し、
前記排出筒の外周に取付けた紐輪に締め紐を挿通して排出筒に締め紐を巻き付け、これを止め具で結んで排出筒を閉じるようにするとともに、止め具とは排出筒の反対側に位置する紐輪を止め具より高い位置に取付けることにより締め紐を排出筒の長さ方向に対し斜めに交差する方向に巻き付け、
そして排出筒を折畳んだ状態で底部排出口内に格納する蓋部を備え、
さらに袋体の底部外縁部に、前記蓋部に連結する蓋部開放手段の一端を備えてなるフレキシブルコンテナ。
【請求項１０】
前記排出筒の先端開口縁に沿って、複数の補強片を並べて取付けたことを特徴とする請求項１記載のフレキシブルコンテナ。
【請求項１１】
前記排出口の形状を方形としたことを特徴とする請求項１記載のフレキシブルコンテナ。
【請求項１２】
前記排出口に沿って補強材を取付けたことを特徴とする請求項１記載のフレキシブルコンテナ。
【発明の詳細な説明】
【技術分野】
【０００１】
本発明は、籾や麦などの穀粒やその他の粉粒体を運ぶのに適したコンテナに関する。この種のコンテナは、空のとき小さく畳めるようにフレキシブルな素材で出来ているため、フレキシブルコンテナと通称されている。
【背景技術】
【０００２】
従来のものは合成樹脂シートや布地のような素材で出来ていて、広げると直方体に近い形状の袋体であり、上面は開口しその開口部には吊ベルト等の吊下げ手段を備え、底部中央の排出口には折畳み可能な排出筒が取付けられている。
図２７に従来のフレキシブルコンテナを示す。また、図２８に従来の排出筒を示す。コンテナに籾などを入れる場合は、予め排出筒の末端を紐で縛って閉じておく。
取り出すときは、図２７に示すように、吊ベルトをクレーンに掛けて持上げて、作業者がコンテナの下方に潜り込むような姿勢で手を伸ばして排出筒の紐を外す。
【０００３】
図２７に示す破線は、作業者と反対側の吊ベルトが切れた場合の落下想定線である。
吊ベルトが切れるなどしてフレキシブルコンテナが落下したり、大きく揺れると、作業者がフレキシブルコンテナの下方に潜り込んで作業を行っているため、迅速な退避が困難で、作業者が下敷きになったり、作業者の頭部にフレキシブルコンテナが衝突することがある。
実際、近年に作業者が作業中にコンテナの下敷きになる死傷事故が発生している。
【発明の開示】
【発明が解決しようとする課題】
【０００４】
そこで本発明は、フレキシブルコンテナの下方に潜り込むことなく安全な位置で作業をすることができ、吊ベルトが切れるなどしても容易に退避が可能で、かつ、籾等の内容物の排出や排出筒の折畳み等が簡易な方法で効率よく行えるフレキシブルコンテナを提供する。
【課題を解決するための手段】
【０００５】
上記課題を解決するため、請求項１記載のごとく、フレキシブルな材質からなる袋体に吊下げ手段を設けるとともに、この袋体の底部排出口に、折畳み可能な排出筒を接続し、この排出筒を折畳んだ状態で排出口を閉鎖する蓋部を備え、そしてこの袋体の底部外縁部に、前記蓋部に連結する蓋部開放手段の一端を備えたフレキシブルコンテナを提供する。
【０００６】
請求項２記載のごとく、前記蓋部は、その一側辺の連結部を袋体の底部に止着した１枚のシート片により形成される外蓋からなり、この外蓋の前記連結部とは反対側の側辺の遊離部を、面ファスナを介して袋体の底部外縁部の接着部に着脱自在に止着したフレキシブルコンテナを提供する。
【０００７】
請求項３記載のごとく、前記袋体を上面が開口した枡形に形成するとともに、前記吊下げ手段を平行な左右２本の吊紐により形成し、そのうち左側の吊紐の両端を袋体の上面開口部の左側隅角部にまた右側の吊紐の両端を前記開口部の右側隅角部にそれぞれ連結し、しかして前記袋体の底部外縁部の接着部を左右２本の吊紐の中間にのぞませたフレキシブルコンテナを提供する。
【０００８】
請求項４記載のごとく、前記蓋部が外蓋と内蓋により内外二重に形成され、これら外蓋と内蓋に個別に前記蓋部開放手段を連結したフレキシブルコンテナを提供する。
【０００９】
請求項５記載のごとく、前記外蓋が２枚のシート片により形成され、各シート片の一側辺を前記袋体底部に「止着して相対する他側辺同士は内外に重ね合わせ、この重ね合わせた部分を面ファスナにより接着して前記外蓋を閉鎖するようにし、そして前記蓋部開放手段を重ね合わせたシート片のうち外側のシート片に連結したフレキシブルコンテナを提供する。
【００１０】
請求項６記載のごとく、前記内蓋が前記排出口の中心より放射状に伸びるスリットにより区画された複数のシート片により形成され、それらシート片の先端部を１枚の連結片により面ファスナを介して接着して前記内蓋を閉鎖するようにし、そして前記連結片の一端に前記蓋部開放手段を連結したフレキシブルコンテナを提供する。
【００１１】
請求項７記載のごとく、外蓋に設けた面ファスナに沿ってカバーシートの一側を取付け、面ファスナの表面をカバーシートで覆ったフレキシブルコンテナを提供する。
【００１２】
請求項８記載のごとく、前記蓋部開放手段は紐で構成され、その一端を前記袋体の底部外縁部に設けた係止具に係止したフレキシブルコンテナを提供する。
【００１３】
請求項表地９記載のごとく、フレキシブルな材質からなる袋体に吊下げ手段を設けるとともに、この袋体の底部排出口に、折畳み可能な排出筒を接続し、前記排出筒の外周に取付けた紐輪に締め紐を挿通して排出筒に締め紐を巻き付け、これを止め具で結んで排出筒を閉じるようにするとともに、止め具とは排出筒の反対側に位置する紐輪を止め具より高い位置に取付けることにより締め紐を排出筒の長さ方向に対し斜めに交差する方向に巻き付け、そして排出筒を折畳んだ状態で底部排出口内に格納する蓋部を備え、さらに袋体の底部外縁部に、前記蓋部に連結する蓋部開放手段の一端を備えたフレキシブルコンテナを提供する。
【００１４】
請求項１０記載のごとく、前記排出筒の先端開口縁に沿って、複数の補強片を並べて取付けたフレキシブルコンテナを提供する。
【００１５】
請求項１１記載のごとく、前記排出口の形状を方形としたフレキシブルコンテナを提供する。
【００１６】
請求項１２記載のごとく、前記排出口に沿って補強材を取付けたフレキシブルコンテナを提供する。
【発明の効果】
【００１７】
請求項１記載のごとく、袋体の底部外縁部に前記蓋部に連結する蓋部開放手段の一端を備えたことで、作業者はフレキシブルコンテナの下方に潜り込むことなく、安全な位置で籾等の穀粒の排出作業を行うことができる。
【００１８】
請求項２記載のごとく、蓋部を面ファスナを介して袋体の底部外縁部の接着部に着脱自在に止着することで、閉鎖状態を確実に保つとともに簡単な操作で迅速に蓋部を開閉でき、排出作業が効率的に行える。
【００１９】
請求項３記載のごとく、前記袋体を上面が開口した枡形に形成するとともに、前記吊下げ手段を平行な左右２本の吊紐により形成し、そのうち左側の吊紐の両端を袋体の上面開口部の左側隅角部にまた右側の吊紐の両端を前記開口部の右側隅角部にそれぞれ連結し、しかして前記袋体の底部外縁部の接着部を左右２本の吊紐の中間にのぞませることで、もし作業中に吊紐が切れたとしても、コンテナは作業者から見て側方に向かって振れるため、万が一の場合でも安心して作業することができる。
【００２０】
請求項４記載のごとく、前記蓋部が外蓋と内蓋により内外二重に形成されたことで、
強度を保ちながら、簡易な操作で蓋部を開閉することができ、排出作業が効率的に行える。
【００２１】
請求項５記載のごとく、外蓋を２枚のシート片で構成して面ファスナで接着し、蓋部開放手段を取付けたことで、通常は確実に閉鎖状態を保つとともに、簡便な操作で外蓋を開放でき、排出作業が安全に効率的に行える。
【００２２】
請求項６記載のごとく、内蓋をスリットで区画した複数枚のシート片により形成して、それらシート片の先端部を連結片により面ファスナを介して閉鎖することで、内蓋の閉鎖を迅速に行って排出筒を綺麗に折畳んだ状態で保持することができるとともに、排出口を簡易に開口して排出作業が効率的に行える。
【００２３】
請求項７記載のごとく、シート片に設けた面ファスナの止着端側にカバーシートの一端を取付けたことで、外蓋を開放して穀粒を排出する際に、カバーシートが面ファスナを覆い、排出する穀粒等が面ファスナに付着して接着力が低下することを防ぐとともに付着した穀粒を払い落とす手間がいらず、効率よく作業が行える。
【００２４】
請求項８記載のごとく、蓋部開放手段を紐で構成し、その一端を前記袋体の底部外縁部に設けた係止具に係止させたことで、簡易な操作で排出作業が行えるとともに、下方に潜り込むことなく安全な位置で作業をすることができる。
【００２５】
請求項９記載のごとく、排出筒の裾部を閉じる締め紐を排出筒に対して斜めに設けたことで、排出筒が締め紐によって撓むことがなく、この撓みに穀粒を残さずに効率よく穀粒を排出することができる。
【００２６】
請求項１０記載のごとく、排出筒の先端開口縁に沿って補強片を取付けたことで、排出筒をきれいに折畳めるとともに排出筒の重みが増加し、蓋部が開放された際に排出筒が落下し易く、排出作業が効率的に行える。
【００２７】
請求項１１記載のごとく、排出口の形状を方形としたことで、排出口の面積に対して、その開口面積が大きくなるため、内蓋が開放された際に排出口が開口しやすくなり、排出作業が効率的に行える。
【００２８】
請求項１２記載のごとく、排出口に補強材を取付けたことで、籾等の穀粒の重みで排出口がつぶされることがなくなり、排出作業が効率的に行える。
【発明を実施するための最良の形態】
【００２９】
図１はフレキシブルコンテナ１の実施態様を示す側面図である。
合成樹脂製シート、ポリプロピレン製布地等のフレキシブルな材質により枡形（直方体）の袋体を形成する。１０はその底部を、１１はその胴部を示す。袋体の上面は開口し、この開口部に吊ベルト１２を設け、これにクレーン等を掛けてフレキシブルコンテナ１を持上げる。
破線はフレキシブルコンテナ１が大きく揺れた場合や、吊ベルト１２が切れるなどして落下した場合の想像線を示す。
【００３０】
袋体の底面１０には蓋部２を設ける。後に詳述するように、蓋部２は外蓋２０、又は外蓋２０と内蓋２６との２重に構成され、それらを開口するための開口手段として外蓋開放ロープ２２と内蓋開放ロープ２８が設けられている。両ロープの一端をそれぞれ外蓋２０と内蓋２６に取付け、もう一端を底部外縁部に設けられた係止具１３に係止する。
【００３１】
図２はフレキシブルコンテナ１の底面図である。
外蓋２０は２枚の方形のシート片２１の一側辺を底面１０に縫付けて、相対する他側辺同士を内外に重ね合わせて形成され、この重ね合わせた部分に面ファスナ２３を取付け、これらを貼り合わせて外蓋２０を閉鎖する。
２枚のシート片２１のうち外側のシート片に外蓋開放ロープ２２の一端を取付け、もう一端を底部外縁部に設けた係止具１３に係止する。
これらシート片２１は袋体と同じフレキシブルな材質により形成する。
【００３２】
外蓋開放ロープ２２は底面１０の係止具１３に係止する。この係止具１３は、底面１０のうち、外側のシート片２１の止着部寄り（図２中、右寄り）の外縁部に設ける。
このように外蓋開放ロープ２２をコンテナ１の底部の外縁部に係止するので、作業者はフレキシブルコンテナ１の下方に潜り込むことなく、コンテナ１の横に立ったまま外蓋開放ロープ２２を引っ張れば、外蓋２０を開放できる。
このように作業者はフレキシブルコンテナ１の横に立ったままで下方に潜り込まないので、フレキシブルコンテナ１が大きく揺れたり、吊ベルト１２が切れるなどして万一落下しても、容易に退避することができ、安全である。
【００３３】
図３は外蓋２０が開いた状態のフレキシブルコンテナ１の底面図である。
排出口４は円形状で、内蓋２６は排出口４の中心から放射状に伸びる４本のスリットにより区画された扇状のシート片２７で形成され、放射状に開口する。
該シート片２７のうちの一枚に取付けた連結片２９により、排出口４の中央部で他の３枚のシート片２７の先端部とを面ファスナ２３により接着して内蓋２６を閉鎖する。
連結片２９には内蓋開放ロープ２８の一端を取付ける。他端は外蓋２０の止着部に設けられた間隙２４を挿通して、底部外縁部に設けられた係止具１３に係止する。
【００３４】
蓋部２を外蓋２０と内蓋２６の内外二重にすることで、内蓋２６によって排出筒３を綺麗に折畳んだ状態で保持して、蓋部２を開放した際に排出筒３が引っ掛からずに落下して開口しやすくするとともに、外蓋２０によって籾等の内容物を確実に保持して、それらの圧力によって蓋部２がみだりに開放されるのを防ぐことができる。また内蓋開放ロープ２８を外蓋開放ロープ２２と同様に底部外縁部の係止具１３に係止するので、蓋部２の開放をフレキシブルコンテナ１の下方に潜り込む必要なく安全に操作できる。
【００３５】
図４は排出筒３の下方斜視図である。
円筒形状の排出筒３の裾部３１には４枚の補強片３０が取付けられている（図４ａ）。排出筒３の裾部３１をこの補強片３０にそって４つに折畳み（図４ｂ）、上方に巻上げた状態で（図４ｃ）、内蓋２６を閉鎖して排出筒３を保持する。
補強片３０は弾力に富み折り曲げ自在なプラスチックかピアノ線により形成するか、布地を細く棒状に折畳んで形成するとよい。
外蓋２０及び内蓋２６を開放すると、フレキシブルコンテナ１の内容物（例えば籾）による圧力で、裾部３１が落下して巻き解け、排出口４が開口する。
【００３６】
裾部３１に補強片３０を設けたことで、簡単に排出筒３の裾部３１を等分に畳むことができて、該裾部３１を芯として排出筒３をきれいに巻上げて排出口４を確実に閉鎖するばかりでなく、内蓋２６を開放した際に排出筒３が開口しやすくなる。
【００３７】
図５に示すのは、排出作業の流れを示す作用図である。
図５ａは外蓋２０と内蓋２６がともに閉まった状態を示し、折畳まれて巻上げられた排出筒３を内蓋２６および外蓋２０によって保持する。
まず、外蓋開放ロープ２２を引くことで面ファスナ２３が剥がれて、外蓋２０が開放される（図５ｂ）。そして、内蓋開放ロープ２８を引くと内蓋２６が開放され、巻上げられていた排出筒３がフレキシブルコンテナ１の内容物による重みで落下して（図５ｃ）開口し、内容物が排出される。
【００３８】
図６に示すのは、外蓋２０の実施例２の底面図である。
前記実施例とは重ね合わせ部分の外側のシート片２１の形状が相違する。
外側のシート片２１の重ね合せ部分をくの字状に形成し、その重ね合せ部分に外蓋開放ロープ２２の一端が取付けられている。
外蓋開放ロープ２２が一本で済むため、コストを低く押えることができるし、また、作業中や運搬中などに外蓋開放ロープ２２が引掛かって切れたり、外蓋２０が開放されてしまうおそれを低減できる。
【００３９】
図７に示すのは、外蓋２０の実施例３の底面図である。
実施例２と同様に、外側のシート片２７の重ね合せ部がくの字状に形成されており、その重ね合せ部分に外蓋開放ロープ２２の一端が取付けられている。
実施例２との違いは、外側シート片２１が短くなっており、籾等の内容物の圧力によってシート片２１の面ファスナ２３にかかる剥離力を低減できるとともに、シート片２１の寸法が短くなった分だけ外蓋開放ロープ２２を短くすることができて、コストを抑えられるし、寸法的な余裕を小さくすることができる。
【００４０】
図８は外蓋２０の実施例４の底面図を示している。
前記各実施例との違いは、外蓋２０の閉鎖手段に面ファスナ２３を用いていない点である。
２枚のシート片２１のそれぞれの一側辺を底面１０に止着し、それぞれの止着辺に相対する側辺を筒状に形成して互い違いに組合せ、該筒部に閂棒４０を挿通して外蓋２０を閉鎖する。
閂棒４０の一端には、底部外縁部に設けられた係止具１３に係止された外蓋開放ロープ２２の一端が取付ける。この外蓋開放ロープ２２を引いて閂棒４０を引き抜き、外蓋２０を開放する。
【００４１】
外蓋２０の閉鎖手段に閂棒４０を用いたことで、籾等の内容物の重みによる圧力で外蓋２０が自動に開放してしまうおそれがない。また、外蓋開放ロープ２２が引掛かって外蓋２０が開放されてしまうおそれも少ない。
【００４２】
図９は外蓋２０の実施例５の底面図を示している。
底面１０にシート片２１の一側辺を止着して、他の３つの側辺に補強棒４３を取付け、止着側辺に相対する側辺に外蓋開放ロープ２２の一端を連結し、もう一端を底部外縁部に設けられた係止具１３に係止して外蓋２０を閉鎖する。
図９では係止具１３に外蓋開放ロープ２２の一端を結び付けた状態を図示しているが、他にも、端部をリング状に形成して係止具１３に引掛けるなどの方法がある。
【００４３】
外蓋２０の閉鎖手段に面ファスナ２３を用いず、外蓋開放ロープ２２を係止具１３に結び付けるなどして閉鎖しており、外蓋２０の開閉操作を手許で行えるため、迅速に、確実に作業を行えるとともに、外蓋２０の耐圧強度を大きくすることができる。
【００４４】
図１０は外蓋２０の実施例６の底面図を示している。
実施例５と同じように、外蓋２０は底面１０にその一側辺を止着したシート片２１により構成されている。
実施例５との違いは外蓋２０を閉鎖する外蓋開放ロープ２２を２本取付けている点である。この２本の外蓋開放ロープ２２を開口する側辺の両角にそれぞれ取付けて係止具１３に挿通したのち、互いを結び付けて固定し、外蓋２０を閉鎖する。
２本の外蓋開放ロープ２２を用いていることにより、外蓋２０が安定して、さらに耐圧強度を大きくすることができる。
【００４５】
図１１は外蓋２０の実施例７の側面図（図１１ａ）および底面図（図１１ｂ）を示している。
外蓋２０を構成するシート片２１の一側辺を底面１０に止着し、その反対側辺を面ファスナ２３を介してフレキシブルコンテナ１の底部外縁部に接着することで、外蓋２０を閉鎖する。
【００４６】
図１１ａに図示したように、本実施例においては内蓋を設けておらず、蓋部２は外蓋２０のみにより構成されている。排出筒３は巻上げて収納せずに、裾部３１を折畳んだ状態で外蓋２０で包みこむことにより把持されており、図４に示した排出筒の実施例に比べ、収納する際に巻上げる手間が要らず簡便であるし、外蓋２０を開放して内容物を排出する際には、内蓋２６を構成するシート片２７などに引っ掛かることなく、確実に排出筒３を開口することができる。
【００４７】
図１２は外蓋２０の実施例８の側面図を示している。内蓋２６と排出筒３は図示を省略する。外蓋２０は実施例７と同様に底部外縁部で面ファスナ２３を介して接着されている。このように、底部外縁部とはフレキシブルコンテナ１の底面１０外縁部乃至胴部１１下部を指す。
【００４８】
図１３は内蓋２６の実施例２を示す底面図である。実施例１との違いは、排出口４が方形状になっている点である。
内蓋２６は排出口４の対角線上に設けられたスリットにより区画された三角形のシート片２７で形成されている。
【００４９】
排出口４が円形状の場合には、シート片２７は当該円に内接する四角形部分が開口するために排出口４の面積に対して開口面積が小さくなり、排出筒３がシート片２７に引掛かるおそれがある。
取付け部３２が方形の場合は、排出口４を全開させることができるため排出筒３が引掛かることなく落下して開口し、排出作業が効率よく行える。
【００５０】
図１４は内蓋２６の実施例３を示す底面図である。外蓋２０は図示を省略してある。
方形の排出口４に沿って、３側辺に設けたスリットにより区画されたシート片２７により内蓋２６を形成する。該シート片２７に連結片２９を取付け、シート片２７の開口側辺部と底面１０とを面ファスナ２３により接着して内蓋２６を閉鎖する。連結片２９には内蓋開放ロープ２８の一端を取付け、他端は外蓋２０の止着部に設けられた間隙２４（図１４においては図示省略）に挿通して、底部外縁部に設けられた係止具１３に係止する。
【００５１】
図１５は内蓋２６の実施例４を示す底面図である。外蓋２０は図示を省略している。
内蓋２６は方形の排出口４の向い合った一対の側辺に沿ってそれぞれ設けられたスリットと、それらスリットに直交し排出口４の略中央部を通るスリットにより区画された方形のシート片２７により形成されている。一方のシート片２７に連結片２９を取付けて、もう一方のシート片２７とを面ファスナ２３により接着して内蓋２６を閉鎖する。図示省略した外蓋２０の止着部に設けられた間隙２４に内蓋開放ロープ２８を挿通して、一端は連結片２９に、他端は底部外縁部に設けられた係止具１３に係止する。
【００５２】
図１６は内蓋２６の実施例５を示す底面図である。外蓋２０は図示を省略している。内蓋２６の前記各実施例との違いは内蓋２６を閉じるのに内蓋開放ロープ２８を用いていることである。
排出口４の中心から放射状に伸びるスリットにより区画された扇状のシート片２７の先端部を筒状に形成し、該筒部に内蓋開放ロープ２８を挿通して巾着状に構成している。
内蓋開放ロープ２８を長尺パイプ４２に挿通して係止具１３に係止しており、内蓋開放ロープ２８を引くことで内蓋２６が巾着状に閉まる。排出筒３を開口するときは、長尺パイプ４２を引き、巾着状に締まった内蓋開放ロープ２８を緩ませて内蓋２６を開放して、自重と内容物の重みで落下させる。
【００５３】
図１７は排出筒３の実施例２を示す下方斜視図である。実施例１との違いは、裾部３１に取付ける補強片３０の個数である。
排出筒３の裾部３１に補強片３０を６枚設けており、裾部３１を６つに折畳むことができるため、折畳んで巻上げた際の幅が狭くなり、内蓋２６を開放した場合に排出筒３がシート片２７に引掛かるおそれを低減でき、さらに籾等の内容物の圧力をより集中させて排出筒３を落下しやすくすることができる。
【００５４】
図１８は排出筒３の実施例３を示す下方斜視図である。排出筒３の前記各実施例との違いは、補強片３０の取付け向きが異なる点である。
補強片３０はその長さ方向を鉛直方向に向けて設けられおり、裾部３１をねじって細く絞り、折り曲げて収納する。排出筒３を折畳んで巻上げるよりも手間がかからず、簡易に収納することができるし、内蓋２６を開放した際には巻上げて収納した場合よりも確実に排出筒３を開口することができる。
【００５５】
図１９は排出筒３の実施例４を示す底面図である。前記各実施例との違いは、排出筒３を折畳んだ状態で保持する内蓋２６を設けず、蓋部２を外蓋２０のみで構成している点である。
排出筒３の裾部３１に補強片３０を２個取付け、この補強片３０にそって排出筒３の裾部３１を折畳んで巻上げ、外蓋２０により排出筒３を保持する。
このように小型のコンテナの場合は必ずしも内蓋２６は必要ない。
【００５６】
普通、フレキシブルコンテナ１の内部には内容物が残留し、その場合、フレキシブルコンテナ１を上下逆さにして、残留した内容物を取り出す作業が行われるが、その際に排出筒３が袋体の内部に落ち込む場合がある。その場合、排出筒３を袋体の内部から引出して元の状態に直す作業は非常に煩雑で手間を要するが、上記した排出筒３の実施例４の構成をとれば、補強片３０が排出口４の径より長く外にはみ出るので、排出筒３が袋体内部に落込むおそれが無くなる。
【００５７】
また、図１１の側面図に示したような排出筒３の収納方法によっても、同様の効果を得ることができ、フレキシブルコンテナ１を上下逆さにした場合でも排出筒３が袋体内部に落込むおそれが無くなる。
【００５８】
図２０は排出筒３の実施例５を示す下方斜視図である。裾部３１を閉じるための締め紐３３を斜めに設けてある点で従来のものと異なる。排出筒の形状は本図では角筒形状であるが、前述各実施例のように円筒形状でもよい。
この締め紐３３は作業者から見て奥を高く、手前に向かって低くなるように紐輪３４によって排出筒３に取付けられている。また、締め紐３３には止め具３５が取付けられ、締め紐３３の先端部には係止具１３を設ける。
【００５９】
図２１は排出筒３の実施例５の作用図で、閉状態（ａ）、開放途中状態（ｂ）、開放状態（ｃ）を示している。
蓋部２を開放すると、排出筒３が落下するとともに穀粒が入り込む（ａ）。従来は図２７に示すように、穀粒の重みで排出筒３が撓み、この撓み部分に穀粒が残留してしまい、排出作業の効率を下げる原因となっていたが、締め紐３３を排出筒３の長さ方向に対して斜めに設けることで撓みが抑制され、さらに締め紐３３と止め具３５を操作して締め紐３３を緩めて排出筒３の裾部３１を開放することで撓みが解消し（ｂ）、開放状態ではすべての穀粒を排出することができ（ｃ）、排出作業を効率よく行える。
【００６０】
図２２はフレキシブルコンテナ１の第２実施例を示す側面図（図２２ａ）及び底面図（図２２ｂ）である。底部面積が広く高さが低い型のもので、排出口４にそって、その形状を維持するための補強材として芯材４１を設けている。
また図２９は、底部面積が広く高さが低いフレキシブルコンテナであって補強材を設けていない従来のもので、クレーン等によって吊下げられ、内容物によって中央方向に力が加わり、排出口４がつぶれてしまって排出作業が行えない状態を示している。
このような状態は本実施例のような底部面積が広く高さが低い場合には特に顕著であるが、補強材として芯材４１を設けることで排出口４の形状が維持されてつぶれてしまうことがなくなり、どのような形状をもつフレキシブルコンテナ１であっても排出作業を効率的に行うことが可能になる。
【００６１】
図２３はフレキシブルコンテナ１の第３実施例の斜視図、図２４はその正面図である。ここでは面ファスナ２３を介してフレキシブルコンテナ１の底部外縁部に止着する第７実施例に示す外蓋２０を用いている。図２３の２点鎖線は外蓋２０を開放した状態を示し、図２４の点線は吊ベルト１２の片方（図では向かって右）が切れた場合のフレキシブルコンテナ１の様態を示している。
【００６２】
フレキシブルコンテナ１の上部開口部には吊ベルト１２が設けられている。この左右の吊ベルト１２は枡形のフレキシブルコンテナ１の上部開口部に左側の吊ベルト１２は左の隅角部にまた右側の吊ベルト１２は右側の遇角部にそれぞれの両端を取付けられている。さらに、フレキシブルコンテナ１の底部外縁部の接着部１４は左右の吊ベルト１２の中間にのぞむ位置に設けられており、この位置で外蓋２０は面ファスナ２３により着脱自在に止着される。
また、排出筒３の締め紐３３は先端部に設けられた係止具１３によって、外蓋２０の接着部と同じ位置で底部外縁部に係止されている。
【００６３】
外蓋２０の開放と排出筒３の開閉作業位置は左右の吊ベルト１２の中間位置になるため、図２４に示したように、作業中に吊ベルト１２の一方が切れたとしても、フレキシブルコンテナ１は残ったもう一方の吊ベルト１２に支えられて作業者から見て側方に振れるため、作業者に衝突するおそれがなく安全に作業を行える。
【００６４】
また、本実施例においては、外蓋２０とともに内蓋２６を設け、さらに外蓋２０には面ファスナ２３に沿ってカバーシート２５を設ける。
図２５は外蓋２０開放状態でのカバーシートの実施態様を側面図で図２６は外蓋が閉じている状態でのカバーシートの実施態様を示す側面図である。
カバーシート２５は面ファスナ２３の外蓋２０止着端側に取付けられている。
【００６５】
外蓋２０が開放状態にあるときはカバーシート２５は自重により垂下して面ファスナ２３を覆い、排出筒３から排出される籾等の穀粒が面ファスナ２３に付着するのを防ぐ。外蓋２０を閉めるときにはカバーシート２５をめくり、面ファスナ２３を露出して接着する。
カバーシート２５を設けたことにより、排出筒３から排出した籾等が面ファスナ２３に付着するのを防ぐことができ、排出時に面ファスナ２３に付着した籾等を払い落とす手間が省ける。
【００６６】
以上のような構成にしたことで、作業者はフレキシブルコンテナ１の側方に立ち、底部外縁部に連結された蓋部開放手段により外蓋２０、内蓋２６を開放することができる。
蓋部２が開放されると、収納されていた排出筒３は、自重とフレキシブルコンテナ１に積載した内容物の圧力とで落下して籾等の穀粒が排出される。
簡便な操作で内容物を確実に排出するとともに、フレキシブルコンテナ１の下方に潜り込むような姿勢をとることなく安全に作業をすることができて、不測の場合にも容易に退避することが可能である。
【図面の簡単な説明】
【００６７】
【図１】本発明のフレキシブルコンテナの実施態様の使用状態を示す全体側面図。
【図２】図1のフレキシブルコンテナの底面図で、外蓋が閉じた状態を示す。
【図３】図1のフレキシブルコンテナの底面図で、外蓋が開いた状態を示す。
【図４】排出口の開口状態（ａ）と折畳み状態（ｂ）と巻上げ状態（ｃ）を示す下方斜視図。
【図５】蓋部閉鎖状態（ａ）と外蓋開放状態（ｂ）と蓋部開放状態（ｃ）を示す側面図。
【図６】外蓋の第２実施例。
【図７】外蓋の第３実施例。
【図８】外蓋の第４実施例。
【図９】外蓋の第５実施例。
【図１０】外蓋の第６実施例。
【図１１】外蓋の第７実施例の側面図（ａ）と底面図（ｂ）。
【図１２】外蓋の第８実施例。
【図１３】内蓋の第２実施例。
【図１４】内蓋の第３実施例。
【図１５】内蓋の第４実施例。
【図１６】内蓋の第５実施例。
【図１７】排出筒の第２実施例。
【図１８】排出筒の第３実施例。
【図１９】排出筒の第４実施例。
【図２０】排出筒の第５実施例。
【図２１】排出筒の第５実施例の作用図。
【図２２】フレキシブルコンテナの第２実施例の側面図（ａ）と底面図（ｂ）。
【図２３】フレキシブルコンテナの第３実施例の斜視図。
【図２４】フレキシブルコンテナの第３実施例の正面図。
【図２５】外蓋開放状態でのカバーシートの態様を示す側面図。
【図２６】外蓋閉状態でのカバーシートの態様を示す側面図。
【図２７】従来のフレキシブルコンテナの実施態様を示す側面図。
【図２８】従来の排出筒の実施態様を示す側面図。
【図２９】従来のフレキシブルコンテナの実施態様２を示す側面図。
【符号の説明】
【００６８】
１    フレキシブルコンテナ
２    蓋部
３    排出筒
４    排出口
１０  底面
１１  胴部
１２  吊ベルト
１３  係止具
１４  接着部
２０  外蓋
２１  シート片
２２  外蓋開放ロープ
２３  面ファスナ
２４  間隙
２５  カバーシート
２６  内蓋
２７  シート片
２８  内蓋開放ロープ
２９  連結片
３０  補強片
３１  裾部
３２  取付け部
３３  締め紐
３４  紐輪
３５  止め具
４０  閂棒
４１  芯材
４２  長尺パイプ
４３  補強棒
【図２】
2005193979.tif 000003
【図３】
2005193979.tif 000004
【図４】
2005193979.tif 000005
【図５】
2005193979.tif 000006
【図６】
2005193979.tif 000007
【図７】
2005193979.tif 000008
【図８】
2005193979.tif 000009
【図９】
2005193979.tif 000010
【図１０】
2005193979.tif 000011
【図１１】
2005193979.tif 000012
【図１３】
2005193979.tif 000013
【図１４】
2005193979.tif 000014
【図１５】
2005193979.tif 000015
【図１６】
2005193979.tif 000016
【図１７】
2005193979.tif 000017
【図１８】
2005193979.tif 000018
【図１９】
2005193979.tif 000019
【図２２】
2005193979.tif 000020
【図１】
2005193979.tif 000021
【図１２】
2005193979.tif 000022
【図２０】
2005193979.tif 000023
【図２１】
2005193979.tif 000024
【図２３】
2005193979.tif 000025
【図２４】
2005193979.tif 000026
【図２５】
2005193979.tif 000027
【図２６】
2005193979.tif 000028
【図２７】
2005193979.tif 000029
【図２８】
2005193979.tif 000030
【図２９】
2005193979.tif 000031